(57)【要約】【課題】本体部（ブイ）に、アームを介して接続される電極により水中電界計測を行う装置で、アームの長さが非常に長い場合でも、非測定時には、アームの長さを気にすることなく、容易に保管し得る水中電界計測測装置を提供する。【解決手段】筐体１Ａの両側部に、先端に電極１０ａ，１０ｂを接続したホース９ａ、９ｂを巻き取り状態で収納した格納スペース４ａ、４ｂを設け、測定開始前に、筐体１Ａ中に設けたポンプ５により、取水口６ａ，６ｂよりホース９ａ、９ｂに向けて吸水・供給し、その水力により、ホース９ａ，９ｂを筐体１Ａに対し水平にし、測定可能状態とする。測定終了し、装置を保管する際に、ポンプ５の駆動を停止し、ホース９ａ，９ｂ内の水を取水口６ａ、６ｂより外部に出し、ホース９ａ，９ｂを測定前の巻き取り状態に戻す。      【選択図】      図２
2014137260.tif 000002
【特許請求の範囲】
【請求項１】
第１の電極と第２の電極が本体部に接続される水中電界計測装置であって、
前記本体部と前記第１の電極間、及び本体部と前記第２の電極間に、それぞれ巻き取り・巻き戻し自在に接続される第１及び第２のホースと、
前記第１の電極及び第２の電極と前記本体部の制御部間をそれぞれ前記第１と第２のホース中を通して電気的に接続する第１、第２の信号線と、
前記本体部の両側部に形成され、それぞれ前記第１及び第２のホースを巻取状態で収納し得る第１、第２のホース収納部と、
駆動開始で測定すべき水中より取水し、前記第１、第２のホースに水を送り、各ホースを展張させて前記両電極による水中電界計測を可能状態とするポンプと、
を備えることを特徴とする水中電界計測装置。
【発明の詳細な説明】
【技術分野】
【０００１】
この発明は、ブイ式の水中電界計測装置であって、電極及びアーム部を本体部に自在に出し入れ可能にしたことに特徴を有する水中電界計測装置に関する。
【背景技術】
【０００２】
従来、水中で発生する電界を検出するのにブイ方式の水中電界計測装置が用いられている（例えば特許文献１参照）。
この種の水中電界計測装置は、図６に示すように、電界検出用の第１の電極２２と、第２の電極２３が、本体部２１に互いに逆方向に突出して設けられる棒状のアーム２４、２５の先端に取り付けられている。アーム２４、２５は、電極２２、２３が本体部２１より所定の距離を保って、しかも出来るだけ両者間の距離を取れるよう、強固な棒状（パイプ状）のものが使用され、その内部に本対部２１の制御回路部と、電極２２、２３を電気的に接続されるよう信号線が挿通されている。
【先行技術文献】
【特許文献】
【０００３】
【特許文献１】特開２０１１―１０２７６２号公報
【発明の概要】
【発明が解決しようとする課題】
【０００４】
上記した従来の水中電界計測装置においては、電極間隔が長い（アームが長い）方が、第１と第２の電極間の電位差として大なるものが得られ、信号検出に有利であるものの、従来使用されている棒状のアームは、水中電界計測装置の保管時に、本体部である筐体への収納に限界がある。また、棒状のアームは、折り畳み構造とし得るが、それでも、長さを小さくするには、制約・限界がある、という不具合がある。
【０００５】
本発明は、上記問題点に着目してなされたものであって、水中電界計測装置の保管時においては、測定時の第１と第２の電極間の長さの制約を受けることなく、第１と第２の電極及びアームに相当する部分を本体部に容易に収納し得る水中電界計測装置を提供することを目的とする。
【課題を解決するための手段】
【０００６】
上記目的を達成するために、本願発明の水中電界計測装置は、第１の電極と第２の電極が本体部に接続される水中電界計測装置であって、前記本体部と前記第１の電極間、及び本体部と前記第２の電極間に、それぞれ巻き取り・巻き戻し自在に接続される第１及び第２のホースと、前記第１の電極及び第２の電極と前記本体部の制御部間をそれぞれ前記第１と第２のホース中を通して電気的に接続する第１、第２の信号線と、前記本体部の両側部に形成され、それぞれ前記第１及び第２のホースを巻取状態で収納し得る第１、第２のホース収納部と、駆動開始で測定すべき水中より取水し、前記第１、第２のホースに水を送り、各ホースを展張させて前記両電極による水中電界計測を可能状態とするポンプと、を備えることを特徴とする。
【発明の効果】
【０００７】
本発明によれば、非測定時には、アーム部であるホース中の水を放出して、巻き取り、容易に本体部（ブイ）に格納することができ、水中電界計測装置の本体部（ブイ）の大きさで保管することができる。
【０００８】
また、また保管時に長いホースを巻き取り状態にしておけば、測定時は、ホースにポンプより水を注入することにより、両電極のア−ム相当部分の長さが大きく取れ、その制約が、従来の棒状アームより緩和されるという利点がある。
【図面の簡単な説明】
【０００９】
【図１】本発明の実施形態水中電界計測装置の本体部（ブイ）の概略構成を示す図である。
【図２】同実施形態水中電界計測装置の要部構造を示す概略図である。
【図３】同実施形態水中電界計測装置で使用するホースを伸張した状態を示す平面図である。
【図４】同実施形態水中電界計測装置におけるホース収納部からホースを伸張させて行く場合を説明する図である。
【図５】同実施形態水中電界計測装置の回路構成を示すブロック図である。
【図６】従来のブイ式水中電界計測装置を説明する概略構成図である。
【発明を実施するための形態】
【００１０】
以下、実施の形態により、本発明をさらに詳細に説明する。図１は、本発明の一実施形態水中電界計測装置の本体部の概略構成を示す図である。
【００１１】
この実施形態水中電界計測装置は、図１に示すように、ブイに相当する本体部１が縦に長い円筒状の筺体１Ａであり、この筺体１Ａの内底部に、増幅器、ＡＤコンバータ、ＣＰＵなどで構成される制御部２，制御部２その他の回路部を駆動するバッテリ３が設けられている。これら制御部２、バッテリ３は、従来より一般的な水中電界測定計測装置においても同様に備えられているものである。
【００１２】
本実施形態水中電界計測装置は、上記制御部２，バッテリ３に加えて、筐体１Ａの上方の左右側部に、非測定時に電極を収納しておくための格納スペース４ａ、４ｂが設けられるとともに、制御部２の上方にポンプ５が設けられている。さらにポンプ５の上方で格納スペース４ａ，４ｂよりも下方の適所に水中よりの水を取り込む取水口６ａ、６ｂが設けられている。
【００１３】
また図２に示すように、格納スペース４ａに、一方の先端に電極１０ａが接続されたホース９ａが同先端を渦巻状に巻回した状態で収納されている。このホース９ａの他方端側が、格納スペース４ａの内壁８ａを通してポンプ５に接続されている。同様に、格納スペース４ｂに、一方の先端に電極１０ｂが接続されたホース９ｂが同先端を渦巻状に巻回した状態で収納されている。このホース９ｂの他方端側が、格納スペース４ｂの内壁８ｂを通してポンプ５に接続されている。
上記構造により、水中電界計測前の非測定時には、電極１０ａ、１０ｂ付きホース９ａ、９ｂを収納スペース４ａ、４ｂに収納しておき、水中電界計測を開始する際に、ポンプ５を駆動して、取水口６ａ、６ｂより水を取り込み、ホース９ａ、９ｂに注入することにより、電極１０ａ、１０ｂ付きホース９ａ、９ｂを収納スペース４ａ、４ｂから外方に押し出し、水中電界計測が可能となるようにしている。
【００１４】
本実施形態水中電界計測装置の特徴は、電極の棒状アームに代えてホースを使用して電極１０ａ、１０ｂをホース９ａ、９ｂとともに本体部の格納スペース４ａ、４ｂに収納し、出入れ自在としたことである。この最も特徴とする本実施形態水中電界計測装置のアーム部及び収納部の構造を図２を参照して説明する。
【００１５】
図２において、筐体１Ａの左側面１ａより内側にかけて電極１０ａ付きのホース９ａを格納するための格納スペース４ａが設けられており、他方筐体１Ａの右側面１ｂより内側にかけて同じく、電極１０ｂ付きのホース９ｂを格納するための格納スペース４ｂが設けられている。
【００１６】
また、筐体１Ａの側壁１ａの格納スペース４ａより下側に設けられた取水口６ａより取水路７ａを経て、ポンプ５の吸水力により外部から水を吸いこみ可能に構成されており、同様に筐体１Ａの側壁１ｂの格納スペース４ｂより下側に設けられた取水口６ｂより取水路７ｂを経てポンプ５に外部から水を吸いこみ可能に構成されている。
【００１７】
格納スペース４ａには、内部側壁８ａに根元が固設されたホース９ａが取り付けれており、このホース９ａは本体内部でポンプ５に接続されている。同様に他方の格納スペース４ｂには、内部側壁８ｂに根元が固設されたホース９ｂが取り付けられており、このホース９ｂは本体内部でポンプ５に接続されている。
【００１８】
ホース９ａ、９ｂは、それぞれ先端に電極１０ａ、１０ｂを接続しており、電極１０ａ、１０ｂは、ホース９ａ、９ｂとの接続部の内側で、それぞれリード線１１ａ，１１ｂに接続され、そのリード線１１ａ、１１ｂでホース９ａ，９ｂ内部を通り（図３参照）、このリード線１１ａ、１１ｂにより制御部２に電気的に接続されている。なお、ホース９ａ、９ｂは、ゴムホースではなく、巻き取り可能なホースを使用することが望ましい。
【００１９】
この実施形態水中電界計測装置は、本体部（ブイ）１を水中に入れて電界計測を開始する以前の非測定状態、つまり非使用状態では、図２に示すようにホース９ａ、９ｂは、先端に接続された電極１０ａ、１０ｂを中心にした渦巻状の巻き取り状態で、それぞれ格納スペース４ａ，４ｂに収納されている。
【００２０】
このように、水中電界非計測時には、両電極１０ａ，１０ｂ及びアームとして使用するホース９ａ、９ｂが巻き取り状態で、格納スペース４ａ、４ｂに収納されており、電極１０ａ、１０ｂを含むホース９ａ、９ｂ（アーム部）は本体部内に収納されるので、アームとして使用するホース９ａ、９ｂが長いものであっても、持ち運び、保管に支障を生じない利点がある。
【００２１】
この実施形態水中電界計測装置の回路構成は、図５に示す通り、バッテリ３と、増幅器２ａ・ＡＤコンバータ２ｂ及びＣＰＵ２ｃを備える制御部２と、電極１０ａ、１０ｂと、この電極１０ａ、１０ｂを制御部２に接続するリード線１１ａ、１１ｂを備える点で従来のものと同様であるが、さらに本願特有のポンプ５を備えている。このポンプ５は、ＣＰＵ２ｃからの指令でＯＮ／ＯＦＦ駆動するようにしているが、ＣＰＵ２ｃからの指令に代えて、ポンプ５自身に手動開閉スイッチを設け、ＯＮ／ＯＦＦ操作で駆動切替するようにしてもよい。
【００２２】
水中電界計測のため、水中電界計測装置の本体部（ブイ）１を水中にいれ、制御部２よりポンプ５に動作開始の信号を送ると、ポンプ５は動作開始ＯＮとなり、測定領域の水中より取水口６ａ（６ｂ）、取水路７ａ（７ｂ）を介して吸水し、ホース９ａ（９ｂ）に通水する。
【００２３】
ホース９ａ（９ｂ）内部に通水すると、水はホース９ａ（９ｂ）の内部に溜まり、外部に出ない。そのため、通水前に図４の（ａ）の状態にあったホース９ａ（９ｂ）は、注入された水にホース９ａ（９ｂ）内の水が根元側（ポンプ側）より満たされ、それとともにホース９ａ（９ｂ）の巻取部は、水力により、前方に巻き取りが外される態様で、外方に向けて、例えば図４の（ａ）→図４の（ｂ）→図４の（ｃ）のように、延ばされて行き、ホース９ａ（９ｂ）内に完全に通水されると、ホース９ａ（９ｂ）は、図３に示すように直線状となり、先端に電極１０ａ（１０ｂ）が接続されているので、ホース９ａ（９ｂ）は、従来のアーム形状とほぼ同様となり、アームとしての機能を果たすことになる。
【００２４】
水中電界計測が終了すると、水中電界計測装置を、水中から舟上に引き揚げ、ポンプ５の電源をＯＦＦし、給水を停止すると、ホース９ａ（９ｂ）内の水は、ポンプ５より取水路７ａ、取水口６ａを介して本体部（ブイ）１外部に放出される。このホース９ａ（９ｂ）内の水の放出に応じ、ホース９ａ（９ｂ）は、測定者の作業も付加することにより、図２に示すのとほぼ同様の巻き取り状態になり、電極１０ａ（１０ｂ）及びホース９ａ（９ｂ）からなるアーム部は、格納スペース４ａ（４ｂ）内に、収容された状態になる。
【００２５】
以上のように、本実施形態計測装置によれば、保管時において、格納スペース４ａ（４ｂ）に、ホース９ａ（９ｂ）が完全に収納されると、アーム部であるホース９ａ（９ｂ）が、かなり長いものであっても、計測装置全体が本体部と同様の大きさとなり、従来に比し、移動、収容・保管が容易となる。その上、測定時の電極と電極の距離に余裕を持って長くすることが出来る。
【符号の説明】
【００２６】
１                                本体部
１Ａ                              筐体
２                                制御部
２ａ                              増幅器
２ｃ                              ＡＤコンバータ
３                                バッテリ
４ａ、４ｂ                        格納スペース
５                                ポンプ
６ａ、６ｂ                        取水口
７ａ、７ｂ                        取水路
８ａ、８ｂ                        格納スペース内壁
９ａ、９ｂ                        ホース
１０ａ、１０ｂ                    電極
１１ａ、１１ｂ                    信号線
【図１】
2014137260.tif 000003
【図２】
2014137260.tif 000004
【図３】
2014137260.tif 000005
【図４】
2014137260.tif 000006
【図５】
2014137260.tif 000007
【図６】
2014137260.tif 000008